(57)【要約】  【課題】本発明は、上記問題点に鑑みてなされたものであり、特に生え際や耳の周辺部や首筋の周辺部等の毛髪をカットして整髪することが可能な頭髪カット用具を提供せんとするものである。  【解決手段】略平板状の基板と、この基板の裏面側中央から所定の傾斜角度で延出した棒状の柄からなるＴ字型の剃刀支持部材と、この基板に保持される剃刀と、この基板と剃刀の表側面に沿って刃先まで延出して剃刀の裏面側に巻き返されて刃先を覆う複数の梳髪保護部材とを備え、前記剃刀が、前記梳髪保護部材によって刃渡り方向が小分けされると共に、前記基板の表面側においても、裏面側においても剃刀の刃先が外部に露出され、前記柄を把持して剃刀支持部材を頭髪に沿って移動させることで、梳髪保護部材で頭髪を梳髪しながら頭皮や耳等を保護し、剃刀で頭髪を切断し得るように構成されることを特徴とする。  【選択図】図１
2008272027.tif 000002
【特許請求の範囲】
【請求項１】
略平板状の基板と、この基板の裏面側中央から所定の傾斜角度で延出した棒状の柄からなるＴ字型の剃刀支持部材と、この基板に保持される剃刀と、この基板と剃刀の表側面に沿って刃先まで延出して剃刀の裏面側に巻き返されて刃先を覆う複数の梳髪保護部材とを備え、前記剃刀が、前記梳髪保護部材によって刃渡り方向が小分けされると共に、前記基板の表面側においても、裏面側においても剃刀の刃先が外部に露出され、前記柄を把持して剃刀支持部材を頭髪に沿って移動させることで、梳髪保護部材で頭髪を梳髪しながら頭皮や耳等を保護し、剃刀で頭髪を切断し得るように構成されることを特徴とするＴ字型頭髪カット用具。
【請求項２】
梳髪保護部材が頭皮や耳等を保護する保護部と頭髪を梳髪する梳髪部とからなり、保護部と梳髪部がそれぞれ独立して形成されていることを特徴とする請求項１に記載のＴ字型頭髪カット用具。
【請求項３】
梳髪保護部材が頭皮や耳等を保護する保護部と頭髪を梳髪する梳髪部とからなり、保護部と梳髪部とが一体に形成されていることを特徴とする請求項１に記載のＴ字型頭髪カット用具。
【請求項４】
隣り合う梳髪保護部材の間隔が、２．０ｍｍ乃至６．０ｍｍであることを特徴とする請求項１乃至３のいずれかに記載のＴ字型頭髪カット用具。
【請求項５】
剃刀の両端付近に形成される梳髪保護部材の大きさが、剃刀の幅方向における中央領域の梳髪保護部材に比較して小さく形成されていることを特徴とする請求項１乃至４のいずれかに記載のＴ字型頭髪カット用具。
【請求項６】
梳髪保護部材の形状が、基板の板面に対してほぼ垂直に立設される略板状をなすものであることを特徴とする請求項１乃至５のいずれかに記載のＴ字型頭髪カット用具。
【請求項７】
梳髪保護部材の梳髪部の形状が、基板の板面に対してほぼ垂直に立設される略円錐状をなすものであることを特徴とする請求項１乃至５のいずれかに記載のＴ字型頭髪カット用具。
【請求項８】
柄が、把持するための把持部を有し、該把持部の軸方向が基板の裏面に対して、４０°乃至８０°傾斜してなることを特徴とする請求項１乃至７のいずれかに記載のＴ字型頭髪カット用具。
【発明の詳細な説明】
【技術分野】
【０００１】
本発明は、人の頭髪をカットして整髪する作業を、安全且つ迅速に行なうための頭髪カット用具に関するものであり、特に耳周辺部の頭髪をカット対象として整髪するためのＴ字型頭髪カット用具に関する。
【背景技術】
【０００２】
人の頭髪を安全且つ迅速にカットして整髪するための従来の器具としては、本発明者等によって先に開示された特開２００４−１６０２０５号公報（特許文献１）に記載の技術を挙げることができる。特許文献１に開示されている技術は、略板状の基盤と、この板面とほぼ平行に該基盤から延出した柄と、該基盤の中央部に立設される複数の剃刀と、該基盤上における該中央部領域の周辺部に多数立設されるブリッセルとを備え、前記剃刀の刃先が皆同じ方向に向けられて互いに間隔を存して平行に配設され、前記多数のブリッセルで頭髪を梳かしつつ、前記剃刀でカットして整髪することが出来るブラシ形状になっている。
【０００３】
他方、略板状の剃刀を、Ｔ字型をなす支持部材の頭部の略平板状の基板に保持させて構成される所謂Ｔ字型カミソリは、頭髪やヒゲ等を剃るためのカット用具として広く普及している。それらのＴ字型カミソリは、その剃刀が肌に当接している状態で横滑りなどした際に、肌を傷付ける可能性があり、これを防止する目的から所謂セイフティガードと呼ばれる剃刀を部分的に覆う保護部材が配設されているものが提案されている。その代表例としては、実開平４−１１２３７７号公報（特許文献２）の技術が挙げられる。特許文献２に開示されている毛髪のカット用具は、Ｔ字型の支持部材頭部の平板状の基板の先端に、該基板に平行して板状の剃刀が保持され、該剃刀と該基板との全体を覆い、該剃刀部位に該剃刀の刃渡り方向に対して垂直向きに形成される多数のスリットを有するカバー状の保護部材が、該基板に配設されて構成されている。
【特許文献１】特開２００４−１６０２０５号公報
【特許文献２】実開平４−１１２３７７号公報
【発明の開示】
【発明が解決しようとする課題】
【０００４】
特許文献１に記載の頭髪のカット用具によれば、頭髪を梳かすようにして容易にカットして整髪することが可能であることから、頭髪をカットして整髪することが出来るという利点がある。この点、特許文献１の技術は、利便性が高く優れた技術である。しかしながら、この頭髪のカット用具は、全体としてブラシ形状となっているため、頭髪全体の大まかなカットには好適であるが、生え際や耳の周辺部や首筋の周辺部等の細部の微調整には不向きであった。
【０００５】
また、特許文献２に記載の毛髪のカット用具は、全体としてＴ字型をなしており、自分の髪の毛の生え際をカットするような場合にも、頭皮等の皮膚を傷付けずに簡便に細部の微調整が可能であるという利点があるものの、頭髪を梳かすように整髪しながら微細なカットができるようには構成されておらず、従来そのような梳髪しつつ微細なカットが可能な頭髪カット用具はなかった。
【０００６】
本発明は、上記問題点に鑑みてなされたものであり、特に生え際や耳の周辺部や首筋の周辺部等の毛髪を、カットして整髪することが可能な頭髪カット用具を提供せんとするものである。
【課題を解決するための手段】
【０００７】
上記課題を解決するために本発明のＴ字型頭髪カット用具が採った手段は、略平板状の基板と、この基板の裏面側中央から所定の傾斜角度で延出した棒状の柄からなるＴ字型の剃刀支持部材と、この基板に保持される剃刀と、この基板と剃刀の表側面に沿って刃先まで延出して剃刀の裏面側に巻き返されて刃先を覆う複数の梳髪保護部材とを備え、前記剃刀が、前記梳髪保護部材によって刃渡り方向が小分けされると共に、前記基板の表面側においても、裏面側においても剃刀の刃先が外部に露出され、前記柄を把持して剃刀支持部材を頭髪に沿って移動させることで、梳髪保護部材で頭髪を梳髪しながら頭皮や耳等を保護し、剃刀で頭髪を切断し得るように構成されることを特徴とする。
【０００８】
梳髪保護部材が頭皮や耳等を保護する保護部と頭髪を梳髪する梳髪部とからなり、保護部と梳髪部がそれぞれ独立して形成されていることを特徴とする。また、梳髪保護部材が頭皮や耳等を保護する保護部と頭髪を梳髪する梳髪部とからなり、保護部と梳髪部とが一体に形成されていることを特徴とする。
【０００９】
隣り合う梳髪保護部材の間隔が、２．０ｍｍ乃至６．０ｍｍであることを特徴とする。また、剃刀の両端付近に形成される梳髪保護部材の大きさが、剃刀の幅方向における中央領域の梳髪保護部材に比較して小さく形成されていることを特徴とする。
【００１０】
梳髪保護部材の梳髪部の形状が、基板の板面に対してほぼ垂直に立設される略板状をなすものであることを特徴とする。また、梳髪保護部材の梳髪部の形状が、基板の板面に対してほぼ垂直に立設される略円錐状をなすものであることを特徴とする。
【００１１】
更に、剃刀支持部材を構成する柄が、把持するための把持部を有し、該把持部の軸方向が基板の裏面に対して、４０°乃至８０°傾斜してなることを特徴とする。
【発明の効果】
【００１２】
本発明のＴ字型頭髪カット用具は、略平板状の剃刀を保持する剃刀支持部材を、全体として略Ｔ字型にすると共に該剃刀を該剃刀支持部材の頭部をなす平板状の基板の先端に、該基板の板面に対して平行に配設し、該基板の表裏の両面側において該剃刀の刃先を外部に露出したことによって、把持し易く微妙な操作を容易に行なうことができ、剃刀の裏面側が外部に露出していないとカットできなかった頭髪を容易にカットできるようになるという効果を奏する。
【００１３】
また、Ｔ字型頭髪カット用具は、剃刀支持部材を構成する基板に、梳髪部を立設し、剃刀には該剃刀の刃先を部分的に覆う保護部を設けたことによって、カット対象部位の毛髪を梳かしながら、頭皮や耳などの皮膚や肌を傷付けることなく、少しずつ徐々にカットして整髪することが可能であって、例えば、特に生え際や耳の周辺部や首筋の周辺部等の毛髪をカットして整髪することが可能である。
【発明を実施するための最良の形態】
【００１４】
本発明の実施の形態を、以下に添付図面（図１乃至図９）を参照しながら詳細に説明する。図１に示すように、本実施態様のＴ字型頭髪カット用具(１)は、略Ｔ字型の剃刀支持部材(２)と、これに保持される剃刀(３)と、カット対象である頭髪(ｈ)を梳髪しつつ該剃刀(３)を部分的に覆って皮膚や肌を傷付けることを防止する複数の梳髪保護部材(４)とを備えている。
【００１５】
剃刀支持部材(２)は、略平板状の基板(５)とこの基板(５)の裏面側中央から該基板(５)の裏面側に所定の傾斜角度で延出した棒状の柄(６)とを有して全体として略Ｔ字型をなしている。該柄(６)部分は細長く延びたものであって持ち易くなっているものであればよく、それ以外特に限定されるものではないが、本実施態様においては図２からも判る通り、横断面が略コ字形をなして、基板(５)裏側から比較的短く延出している連結部(６ａ)と、把持するための比較的長い把持部(６ｂ)とからなり、これら連結部(６ａ)と把持部(６ｂ)とは所定の角度で互いに連結して全体として略く字形をなし、該把持部(６ｂ)の外周面の適当な範囲には横断方向に刻まれた滑り止め用の凹凸部(７)を有する。
【００１６】
剃刀支持部材(２)の頭部を構成する基板(５)は、略平板状をなしており、好ましくはその横幅を２４ｍｍ乃至４８ｍｍに設定する。また、基板(５)の両側には、剃刀(３)を固定して保持する保持部（５ａ）を有する。図２に示すように、この基板(５)の板面と、前記柄(６)の把持部(６ｂ)との狭角、即ち前記基板(５)裏面から延出した柄の把持部(６ｂ)の傾斜角度は、好ましくは４０°乃至８０°、より好ましくは６２°に設定する。
【００１７】
この基板(５)の一端辺には、ほぼその横幅一杯の刃渡りを有する剃刀(３)が配設される。この剃刀(３)は、一般的に使用される剃刀であり、剃刀の奥行きとして、４〜１０ｍｍのものを使用することができる。この剃刀(３)は、該基板(５)の表面側においては勿論、裏面側においてもその剃刀(３)の先端部分が外部に露出するように配設される。本実施態様においては、剃刀支持部材(２)に配設される剃刀(３)は１枚に設定されているが、これは必ずしも１枚でなければならないというものではなく、複数枚例えば２枚又は３枚を剃刀支持部材(２)に配設して２枚刃又は３枚刃にしても良い。
【００１８】
梳髪保護部材(４)は、カット対象である頭髪(ｈ)を梳かして整髪するための剃刀の板面に対して垂直に立設される梳髪部(４ａ)と、剃刀(３)の表側面に沿って刃先まで延出して図３に示すように、裏面側に巻き返されて該剃刀(３)先端部を覆う保護部(４ｂ)とから構成される。この梳髪保護部材(４)は、図１からも判る通り、前記梳髪部(４ａ)と前記保護部(４ｂ)とが一体的に一連の板状に形成され、互いに所定の間隔を存して剃刀(３)の板面に対してほぼ垂直に立設される。
【００１９】
複数の梳髪保護部材(４)のそれぞれの間隔は、好ましくは、２．０ｍｍ乃至６．０ｍｍ、より好ましくは４．０ｍｍに設定される。また、梳髪保護部材(４)の各々の梳髪部(４ａ)の高さは、好ましくは２．０ｍｍ乃至６．０ｍｍ、より好ましくは、４．０ｍｍに設定される。
【００２０】
また、剃刀(３)の刃先から梳髪保護部材(４)の保護部(４ｂ)先端までの距離は、好ましくは１．０ｍｍ乃至２．５ｍｍに、より好ましくは１．３ｍｍに設定される。
【００２１】
更に、剃刀(３)の刃渡り方向の両端部には、上述した梳髪保護部材(４)より小さめの梳髪保護部材(４’)が形成され、頭皮や皮膚或いは肌を剃刀の角で傷付けてしまうことがないように構成される。この梳髪保護部材(４’)も梳髪部(４’ａ)と保護部(４’ｂ)を有し、該保護部(４’ｂ)は、剃刀(３)の刃先から、好ましくは、０．５ｍｍ乃至１．５ｍｍ、より好ましくは０．７ｍｍ延出し、頭皮から伸び出している頭髪を少量ずつカットすることができるようになっている。
【００２２】
梳髪保護部材(４)、(４’)は、上記説明の如くに構成されるがこれに限らず、例えば、図４に示すＴ字型頭髪カット用具(１０１)のように、梳髪部(１０４ａ)の形状が剃刀支持部材(１０２)を構成する基板(１０５)の板面に対してほぼ垂直に立設される略円錐状にして、その基端部が保護部(１０４ｂ)に連結している形態をなすものであっても良い。
【００２３】
また、梳髪部(４ａ)，(１０４ａ)と保護部(４ｂ)，(１０４ｂ)とは、必ずしも一体的に形成されていなければならないというものではなく、例えば、図５に示すＴ字型頭髪カット用具(２０１)のように、基板(２０５)の板面に対してほぼ垂直に立設される各々の略円錐状の梳髪部(２０４ａ)が、保護部(２０４ｂ)から孤立するように形成され、他方、該基板(２０５)の表側面にその板面に平行に配設される横断面略円形の該保護部(２０４ｂ)が、梳髪部(２０４ａ)から孤立するように形成することも可能である。
【００２４】
以上のように構成される本実施態様のＴ字型頭髪カット用具(１)は、適宜持ち易いように柄(６)を把持して、カット対象とする頭髪(ｈ)やその周辺に剃刀(３)を向けつつ基板(５)を近付ける。ここで、図６乃至図８に示すように、頭髪(ｈ)に対する剃刀(３)の当接する角度を、図６のＡやＢの方へ柄(６)の後端を所要に上下させることによって調節して、図６において下向きの矢印で示すように、上部から下方に向かって引き下げることで、頭髪(ｈ)を少しずつ徐々にカットすることができるようになっている。
【００２５】
この際、基板(５)の高さ位置に対する柄(６)の持ち上げ位置が高くなる程、梳髪部(４ａ)が頭髪(ｈ)を梳かすことができる角度となり、且つ剃刀(３)が外向きに近付きカット量を減少させることができる。逆に、基板(５)の高さ位置に対する柄(６)の持ち上げ位置が低くなる程、梳髪部(４ａ)は頭髪(ｈ)から離れると共に、剃刀(３)が頭髪(ｈ)に対して鋭い角度で当接するようになってカット量を増やすことができる。尚、図６のＡの方へ柄(６)の後端を持ち上げた状態を側方から見た状態を示したのが図８であり、図６のＢの方へ柄(６)の後端を降下させた状態を側方から見た状態を示したのが図７である。
【００２６】
本実施態様のＴ字型頭髪カット用具(１)は、上記説明したように、柄(６)を把持して剃刀支持部材(２)を頭髪(ｈ)付近で所望に動かすことで、保護部(４ｂ)で頭皮や耳等を保護しながら梳髪部(４ａ)で頭髪(ｈ)を梳かして整髪しつつ、剃刀(３)で断髪し得るように構成されるものであって、例えば、図９に示すＴ字型頭髪カット用具(３０１)のように、複数の針金状の部材を、それぞれ隣り合うものどうし剃刀(３０３)の刃渡り方向において適宜の間隔を存して配設し、その表面側から裏面側にかけて剃刀(３０３)を覆って保護部(３０４ｂ)としつつ、該剃刀(３０３)の表面側において配設されるそれら各々の保護部(３０４ｂ)を、剃刀(３０３)配設側と逆側の基板(３０５)端部まで、該基板(３０５)の表側から裏側に至って該基板(３０５)端部を巻回するように覆って構成しても良く、その主旨を逸脱しない範囲において様々な形態で実施することができる。
【図面の簡単な説明】
【００２７】
【図１】本実施態様のＴ字型頭髪カット用具の主要部の斜視図
【図２】同主要部の側面図
【図３】同主要部を裏側から見た斜視図
【図４】同Ｔ字型頭髪カット用具の一変形における主要部の斜視図
【図５】同Ｔ字型頭髪カット用具の別の変形例の主要部の斜視図
【図６】図１のＴ字型頭髪カット用具の使用状態を示す側面図
【図７】同使用状態の背面側から見た斜視図
【図８】別の角度の使用状態の背面側から見た斜視図
【図９】Ｔ字型頭髪カット用具の別の変形例の主要部の斜視図
【符号の説明】
【００２８】
１  Ｔ字型頭髪カット用具
２  剃刀支持部材
３  剃刀
４  梳髪保護部材
４’  梳髪保護部材
４ａ  梳髪部
４’ａ  梳髪部
４ｂ  保護部
４’ｂ  保護部
５  基板
５ａ  保持部
６  柄
６ａ  連結部
６ｂ  把持部
７  凹凸部
１０１  Ｔ字型頭髪カット用具
１０２  剃刀支持部材
１０３  剃刀  
１０４ａ  梳髪部
１０４ｂ  保護部
１０５  基板
２０１  Ｔ字型頭髪カット用具
２０３  剃刀
２０４ａ  梳髪部
２０４ｂ  保護部
２０５  基板
３０１  Ｔ字型頭髪カット用具
３０３  剃刀
３０４ｂ  保護部
３０５  基板
ｈ  頭髪
【図１】
2008272027.tif 000003
【図２】
2008272027.tif 000004
【図３】
2008272027.tif 000005
【図４】
2008272027.tif 000006
【図５】
2008272027.tif 000007
【図６】
2008272027.tif 000008
【図７】
2008272027.tif 000009
【図８】
2008272027.tif 000010
【図９】
2008272027.tif 000011